(57)【特許請求の範囲】
【請求項１】
プラント運転に関する連絡事項を記録する日誌機能を有する日誌装置と、
プラント運転で取得されるプロセスデータを管理しており、前記日誌装置との間で情報の送受信を行うことにより、前記日誌装置との間で連携した所定の動作を行う、プロセスデータ管理装置とを、備え、
前記プロセスデータ管理装置は、
前記プラントにおいて配設されている計測器を識別する識別情報を、管理しており、
前記日誌装置は、
（Ａ）前記日誌装置において日誌文章がフリーフォーマットで入力されたとき、前記日誌文章中に、前記プロセス装置において管理されている前記識別情報が含まれているか否かを検索し、
（Ｂ）前記（Ａ）において、前記日誌文章内に前記識別情報が含まれているときには、前記日誌文章内における前記識別情報に対して、所定の操作機能を設定する、
ことを特徴とするプラント管理システム。
【請求項２】
前記プロセスデータ管理装置は、
前記プロセスデータを用いて構成される、複数の図データを管理しており、
前記図データは、
前記識別番号を用いて、前記プロセスデータ管理装置において管理されており、
前記日誌装置は、
（Ｃ）前記日誌文章内において、前記所定の操作機能が設定された前記識別情報が選択されたとき、前記プロセスデータ管理装置に対して、当該選択された識別情報を用いて前記プロセスデータ管理装置側で管理されている、前記図データを検索し、
（Ｄ）前記（Ｃ）において検索した前記図データを示す図データ名称から成る一覧表を、表示する、
ことを特徴とする請求項１に記載のプラント管理システム。
【請求項３】
前記日誌装置は、
（Ｅ）前記一覧表に含まれる所定の前記図データ名称を選択したとき、当該選択された図データ名称に対応する前記図データを、前記プロセスデータ管理装置から読み出し、当該読み出した前記図データを表示する、
ことを特徴とする請求項２に記載のプラント管理システム。
【請求項４】
前記日誌装置は、
（Ｆ）前記（Ｅ）で表示されている前記図データ内にコメントが入力されたとき、前記（Ａ）における前記日誌文章を、当該コメントを示すコメントデータを含む前記図データに関連づけて、管理する、
ことを特徴とする請求項３に記載のプラント管理システム。
【請求項５】
前記日誌装置は、
前記（Ｆ）において、前記（Ａ）における前記日誌文章を含む日誌シート内にアイコンを設定することにより、前記（Ａ）における前記日誌文章を、前記コメントデータを含む前記図データに関連づけて管理し、
（Ｇ）前記日誌シート内の前記アイコンが選択されたとき、前記コメントデータを含む前記図データを表示する、
ことを特徴とする請求項４に記載のプラント管理システム。
【請求項６】
前記プロセスデータ管理装置は、
前記プロセスデータを用いて構成される、複数の図データを管理しており、
前記プロセスデータ管理装置は、
（ａ）前記図データを表示し、
（ｂ）前記（ａ）において表示されている前記図データに対して、所定の処理を実施することにより、前記日誌装置における前記日誌機能を利用して、日誌文書を入力することができる、
ことを特徴とする請求項１に記載のプラント管理システム。
【請求項７】
前記日誌装置は、
（ｃ）前記（ｂ）において前記日誌文章が入力されたとき、前記日誌文章を、当該（ａ）における前記図データに関連づけて、管理する、
ことを特徴とする請求項６に記載のプラント管理システム。
【請求項８】
前記日誌装置は、
前記（ｃ）において、前記日誌文章を含む日誌シート内にアイコンを設定することにより、前記日誌文章を、前記図データに関連づけて管理し、
（ｄ）前記日誌シート内の前記アイコンが選択されたとき、前記図データを表示する、
ことを特徴とする請求項７に記載のプラント管理システム。
【発明の詳細な説明】
【技術分野】
【０００１】
本発明は、プラント運転の管理に利用されるプラント管理システムに関する。
【背景技術】
【０００２】
２４時間操業を行っているプラントでは、交代勤務における業務引継、トラブル解析および運転ノウハウの承継等のために、運転日誌が作製されている。当該運転日誌（引継簿、申し送り帳など）には、プラント運転に関する各連絡事項（実施された作業内容、プラントで発生した事項、交代勤務のオペレータへの連絡など）が記録される。また、以前は手書きで作製されていた運転日誌も、近年では電子化され、当該電子化された運転日誌の作製が可能な日誌システムも導入されつつある。
【０００３】
一方、プラントでは、プロセスデータ管理システムが導入されており、当該プロセスデータ管理システムでは、プラントの運転状況を把握するために、プラントの挙動を表すプロセスデータ（プラントに配設されている各計測器が計測したデータなど）が定期的に自動収集されている。
【０００４】
運転日誌の内容とプロセスデータ管理システムで管理されているプロセスデータとの両方を、同時に閲覧できると、操作・作業に際してオペレータは、実施された作業内容等と照らしてプロセスデータの動きを確認でき、作業効率が向上する。
【０００５】
なお、プロセスデータ管理システムに関する技術として、たとえば、特許文献１が存在する。
【０００６】
当該特許文献１に係る技術では、プロセスデータ管理システムは、プロセスデータと、プラント内においてセンサーなどで自動的に検知した信号とを、管理している。そして、特許文献１に係る技術では、上記プロセスデータと上記信号とを関連付けることができる。
【先行技術文献】
【特許文献】
【０００７】
【特許文献１】特開平１０−９００２１号公報
【発明の概要】
【発明が解決しようとする課題】
【０００８】
ところで、従来では、運転日誌の内容とプロセスデータとを同時に閲覧する場合には、プロセスデータで構成される図をプリントアウトし、当該プリントアウトした図を、日誌に貼り付ける等していた。しかしながら、当該作業は手間が多く必要となり、作業効率の低下を招く。
【０００９】
なお、特許文献１に係る技術では、プロセスデータ管理システムで自動的に取得したデータ同士の関連付けは可能である。しかしながら、特許文献１に係る技術では、作業者が入力した日誌等の情報（人為的に入力した情報）と、プロセスデータ管理システム側で取得したデータとを、関連付けることはできない。
【００１０】
そこで、本発明は、運転日誌とプロセスデータとを利用して作業等の効率の向上を図ることができる、プラント管理システムを提供することを目的とする。
【課題を解決するための手段】
【００１１】
本発明に係るプラント管理システムは、プラント運転に関する連絡事項を記録する日誌機能を有する日誌装置と、プラント運転で取得されるプロセスデータを管理しており、前記日誌装置との間で情報の送受信を行うことにより、前記日誌装置との間で連携した所定の動作を行うプロセスデータ管理装置とを、備え、前記プロセスデータ管理装置は、前記プラントにおいて配設されている計測器を識別する識別情報を、管理しており、前記日誌装置は、（Ａ）前記日誌装置において日誌文章がフリーフォーマットで入力されたとき、前記日誌文章中に、前記プロセス装置において管理されている前記識別情報が含まれているか否かを検索し、（Ｂ）前記（Ａ）において、前記日誌文章内に前記識別情報が含まれているときには、前記日誌文章内における前記識別情報に対して、所定の操作機能を設定する。
【発明の効果】
【００１２】
本発明に係るプラント管理システムは、プラント運転に関する連絡事項を記録する日誌機能を有する日誌装置と、プラント運転で取得されるプロセスデータを管理しており、前記日誌装置との間で情報の送受信を行うことにより、前記日誌装置との間で連携した所定の動作を行うプロセスデータ管理装置とを、備え、前記プロセスデータ管理装置は、前記プラントにおいて配設されている計測器を識別する識別情報を、管理しており、前記日誌装置は、（Ａ）前記日誌装置において日誌文章がフリーフォーマットで入力されたとき、前記日誌文章中に、前記プロセス装置において管理されている前記識別情報が含まれているか否かを検索し、（Ｂ）前記（Ａ）において、前記日誌文章内に前記識別情報が含まれているときには、前記日誌文章内における前記識別情報に対して、所定の操作機能を設定する。
【００１３】
したがって、たとえば、作業者は、運転日誌とプロセスデータとの閲覧等を迅速に行うことができる。つまり、煩わしい作業を要せずに、人的に入力された日誌文章と、プラントから自動収集したプロセスデータとを、関連付けすることができる。よって、作業効率の向上、トラブル発生時の迅速な対応、ノウハウの効率的な引継等が可能となる。
【図面の簡単な説明】
【００１４】
【図１】実施の形態１に係るプラント管理システム１００の概略構成を示すブロック図である。
【図２】実施の形態１に係るプラント管理システム１００の動作の流れを示す図である。
【図３】日誌文章の入力の様子を示す図である。
【図４】日誌文章内に含まれるタグ情報に所定の操作機能が設定された様子を示す図である。
【図５】実施の形態１に係るプラント管理システム１００の動作の流れを示す図である。
【図６】タグ情報に基づいて作成される、図データ名称から成る一覧表の一例を示す図である。
【図７】一覧表からの所望の図データ名称の選択により、表示された図データの一例を示す図である。
【図８】実施の形態１に係るプラント管理システム１００の動作の流れを示す図である。
【図９】図データにコメントが入力された様子を示す図である。
【図１０】日誌シートにアイコンが設定されることにより、日誌文章と図データとの関連付けがされたことを示す図である。
【図１１】実施の形態１に係るプラント管理システム１００の動作の流れを示す図である。
【図１２】実施の形態２に係るプラント管理システム２００の概略構成を示すブロック図である。
【図１３】実施の形態２に係るプラント管理システム２００の動作の流れを示す図である。
【図１４】図データの考察から、新規の日誌文章を作成する様子を示す図である。
【図１５】日誌シートにアイコンが設定されることにより、日誌文章と図データとの関連付けがされたことを示す図である。
【発明を実施するための形態】
【００１５】
以下、この発明をその実施の形態を示す図面に基づいて具体的に説明する。
【００１６】
＜実施の形態１＞
図１は、本実施の形態に係るプラント管理システム１００の概略構成を示すブロック図である。
【００１７】
図１に示すように、プラント管理システム１００は、日誌装置５０とプロセスデータ管理装置６０とから構成されている。ここで、図１に示すように、日誌装置５０とプロセスデータ管理装置６０とは、信号線７０によって接続されている。よって、日誌装置５０とプロセスデータ管理装置６０とは、双方向の信号の送受信が可能である。なお、信号線７０は、有線であっても無線であっても良い。
【００１８】
日誌装置５０は、プラント運転に関する連絡事項（操作・作業した事項や、プラントにおける運転状況などの連絡すべき事項）を、電子的に記録することができる運転日誌機能を有する。図１に示すように、日誌装置５０は、運転日誌機能部１と、操作部２と、記憶部３と表示部４とを少なくとも備えている。なお、日誌装置５０内の各構成要素１−４は各々、通信可能に接続されている。
【００１９】
運転日誌機能部１は、日誌文章を作成する際に利用される。また、操作部２は、日誌装置５０に対して作業者が操作を施す場合に利用される。また、記憶部３には、日誌情報が電子的に管理・保存される。また、表示部４には、日誌等の諸情報が表示される。なお、これらの構成要素１−４の動作は、後述するプラント管理システム１００の動作説明の際に、詳細に言及する。
【００２０】
プロセスデータ管理装置６０は、プラント運転で取得されるプロセスデータを管理する。プラント内には、製造ライン等に複数の計測器が配設されている。これらの計測器からの測定結果が、プロセスデータとして、プロセスデータ管理装置６０において定期的に自動的に収集される。
【００２１】
ここで、各計測器には、各計測器を識別するために、個別に識別情報（以下、タグ情報と称する）が付与されている。たとえば、各プロセスデータは、計測元である計測器のタグ情報と関連付けて、時系列的に、プロセスデータ管理装置６０において管理されている。
【００２２】
図１に示すように、プロセスデータ管理装置６０は、タグ情報記憶部５とプロセスデータ記憶部６とを少なくとも備えている。なお、プロセスデータ管理装置６０内の各構成要素５，６は各々、通信可能に接続されている。
【００２３】
タグ情報記憶部５には、プロセスデータ管理装置６０で管理されているタグ情報が保存されている。ここで、一般的に、プロセスデータ管理装置６０の管理対象となるプラント内に配設されている計測器の各タグ情報が、プロセスデータ管理装置６０において管理されている。
【００２４】
また、プロセスデータ記憶部６には、自動的に収集された各プロセスデータが保存されている。さらに、プロセスデータ記憶部６には、複数の図データが保存されている。ここで、当該図データとは、プロセスデータを用いて構成される図のデータであり、たとえばトレンドグラフやグラフィックなどである。
【００２５】
トレンドグラフは、プロセスデータの時系列的変化を、視認可能に表示する図である（例えば、トレンドグラフの縦軸は、あるプロセスデータの値であり、トレンドグラフの横軸は、時間である）。
【００２６】
また、グラフィックは、プラントに配設されている製造ラインの全部または一部の構成を、模式的に表示する図である（よって、当該グラフィックに表示される構成図により、プラントラインの構成を容易に把握することができる）。
【００２７】
ここで、各トレンドグラフおよび各グラフィックは、少なくとも１つ以上のタグ情報と関連付けられて、プロセスデータ記憶部６において管理されている。
【００２８】
たとえば、タグ情報Ａと関連付けられているトレンドグラフでは、当該タグ情報Ａである計測器から送信される測定結果（プロセスデータ）の時系列的変化を示す図が作成される。
【００２９】
また、一つのグラフィックで示されるプラントの製造ラインには、少なくとも１以上の計測器が配設されている。したがって、当該グラフィックには、当該グラフィックが示す製造ラインに配設されている各計測器を示すタグ情報が各々、関連付けられている。
【００３０】
たとえば、製造ラインに、温度計と流量計とが、所定の場所に配設されているとする。この場合には、当該製造ラインを模式的に示したグラフィックには、温度計が配設されている箇所に、温度計を示すタグ情報が関連付けられており、流量計が配設されている箇所に、流量計を示すタグ情報が関連付けられている。そして、グラフィック内のタグ情報が関連付けられている各箇所に、当該タグ情報である計測器から送信される測定結果（プロセスデータ）が表示等されることにより、グラフィックが作成される。
【００３１】
図１に示すように、上記構成の日誌装置５０と上記構成のプロセスデータ管理装置６０とは、信号線７０により接続されている。そして、当該信号線７０を介して、日誌装置５０とプロセスデータ管理装置６０との間において、情報の送受信を行う。当該情報送受信を行うことにより、日誌装置５０とプロセスデータ管理装置６０とは、相互に連携した所定の動作を行う。
【００３２】
次に、本実施の形態に係るプラント管理システム１００の動作について、各フローチャートを用いて説明する。
【００３３】
まず、図２に示すフローチャートについて説明する。
【００３４】
作業者は、日誌装置５０の運転日誌機能部１を利用して、日誌を作成する。具体的に、運転日誌機能部１は、日誌シートを表示部４に表示させる。表示された日誌シートの日誌入力部に、作業者は、運転日誌機能部１または操作部２を利用して、日誌文章を入力する（ステップＳ１）。
【００３５】
ここで、日誌文章の入力は、予め設定されたフォーマット（予め定められた記載事項の順序など）に従って行っても良いが、作業者の日誌作成の労力軽減を図る場合には、日誌入力は形式に束縛されないフリーフォーマットで行う方が良い。図３は、日誌シートｓ１の日誌入力部ｐ１に入力された、日誌文章の様子を例示する図である。
【００３６】
なお、図３において、「ＰＩ−１００」が、タグ情報に相当するとする。そして、以下の説明では、タグ情報記憶部５には、「ＰＩ−１００」がタグ情報として管理・保存されているものとする。
【００３７】
ここで、タグ情報の入力もフリーフォーマットで実施可能である（つまり、タグ情報の入力に統一性を持たされる必要はない）。たとえば、半角・全角の区別、および、大文字・小文字の区別は問わない。また、「ハイフン」や「アンダーバー」などの文字の省略も可能である。
【００３８】
次に、日誌装置５０は、ステップＳ１で入力された日誌文章を、通信線７０を介して、プロセスデータ管理装置６０に送信する（ステップＳ２）。
【００３９】
次に、プロセスデータ管理装置６０のタグ情報記憶部５は、ステップＳ２により取得した日誌文章に、タグ情報記憶部５において記憶・管理されているタグ情報が含まれているか否かを検索する（ステップＳ３）。
【００４０】
ここで、日誌文章がフリーフォーマットで作製されている場合には、タグ情報記憶部５は、たとえばパターンマッチング方式等を利用して、日誌文章内に、タグ情報記憶部５が管理しているタグ情報が含まれているか否かを検索する。
【００４１】
次に、ステップＳ３におりタグ情報記憶部５で検索されて検索結果を、プロセスデータ管理装置６０は、信号線７０を介して、日誌装置５０に対して送信する（ステップＳ４）。
【００４２】
上記仮定により、ステップＳ４では、日誌文章に含まれる「ＰＩ−１００」がタグ情報記憶部５において管理・保存されているタグ情報である旨の通知が、プロセスデータ管理装置６０から日誌装置５０に対して送信される。
【００４３】
そこで、日誌装置５０の運転日誌機能部１は、ステップＳ４による通知を受けて、日誌文章中のタグ情報（「ＰＩ−１００」）のタイプ箇所に対して、所定の操作機能を設定する（ステップＳ５）。
【００４４】
図４は、日誌文章内のタグ情報に対して、所定の操作機能が設定された様子を例示する図である。
【００４５】
図４では、タグ情報記憶部５において管理・保存されており、日誌文章内に含まれるグ情報（「ＰＩ−１００」）に対して、下線部が付与されている。これにより、作業者が容易に、日誌文章内のタグ情報（「ＰＩ−１００」）に対して所定の操作機能が設定されていることを、視認できるようにしている。
【００４６】
なお、日誌文章内のタグ情報に対して所定の操作機能が設定されていることを示すために、タグ情報記憶部５において管理・保存されており、日誌文章に含まれるタグ情報に対して、下線部でなくても、他の文字とは異なる色彩を付与しても良く、またはハイライトを付与しても良い。
【００４７】
日誌文章内の当該タグ情報（「ＰＩ−１００」）を選択すると、当該タグ情報に対して設定された所定の操作機能により、所定の操作が実行される。当該所定の操作については、図５のフローチャートを用いて詳細に説明する。
【００４８】
ステップＳ５の動作後、運転日誌機能部１は、上記ステップＳ５の処理が施された、日誌文章を含む日誌シートｓ１を、記憶部３に記録する（ステップＳ６）。
【００４９】
ここで、上記と異なり、日誌シートｓ１に対して入力された日誌文章内に、タグ情報記憶部５において管理・保存されているタグ情報含まれていない場合には、運転日誌機能部１は、ステップＳ５による所定の操作機能設定動作を実行することなく、日誌文章を含む日誌シートｓ１を、記憶部３に記録する（ステップＳ６）。
【００５０】
次に、図５に示すフローチャートについて説明する。
【００５１】
たとえば交代勤務等の際に、作業者は、操作部２を操作し、記憶部３から所望の日誌シートｓ１を読み出し、表示部４に表示させる（ステップＳ１１）。ここで、図４に示した日誌シートｓ１が作業者により選択され、ステップＳ１１において表示部４に表示されたものとする。
【００５２】
次に、作業者は、操作部２を操作して、日誌文章内の所定の操作機能が設定されているタグ情報（「ＰＩ−１００」）を、クリックなどして選択する（ステップＳ１２）。ステップＳ１２の処理により、タグ情報（「ＰＩ−１００」）に設定された所定の操作機能が働き、所定の操作が開始される。以下、当該所定の操作について説明する。
【００５３】
ステップＳ１２の動作により、運転日誌機能部１は、プロセスデータ管理装置６０側のプロセスデータ記憶部６に対して、ステップＳ１２で選択されたタグ情報（「ＰＩ−１００」）を送信する。そして、プロセスデータ記憶部６では、送信されてきたタグ情報（「ＰＩ−１００」）で関連付けられている図データを、当該プロセスデータ記憶部６内に管理・保存されているか否かを検索する（ステップＳ１３）。
【００５４】
プロセスデータ記憶部６は、ステップＳ１３の結果、プロセスデータ記憶部６内において少なくとも１以上図データが、タグ情報（「ＰＩ−１００」）で関連付けられて管理・保存されていることを検出したとする。
【００５５】
そこで、プロセスデータ記憶部６は、ステップＳ１３の検索結果を基に、検出された各図データの名称（以下、図データ名称と称する）が列記された一覧表を作成する（ステップＳ１４）。なお、各図データには、識別のために各々図データ名称が予め付されている。
【００５６】
図６は、一覧表の例を示す図である。図６に例示する一覧表には、当該一覧表作成の基になったタグ情報（「ＰＩ−１００」）が盛り込まれている。さらに、当該タグ情報（「ＰＩ−１００」）と関連付けられてプロセスデータ記憶部６内に管理されている各図データの図データ名称が、当該一覧表内の各行毎に列記されている。
【００５７】
次に、プロセスデータ管理装置６０は、ステップＳ１４で作成された一覧表を、信号線７０を介して、日誌装置５０に送信する（ステップＳ１５）。
【００５８】
次に、日誌装置５０では、ステップＳ１５によって受信した一覧表を、表示部４を利用して、作業者が当該一覧表を視認できるように表示する（ステップＳ１６）。ステップＳ１６により、表示画面上には、図６に例示した一覧表が表示される。
【００５９】
上記から分かるように、上記当該所定の操作とは、タグ情報（「ＰＩ−１００」）に関連付けてプロセスデータ管理装置５０で管理されている図データをまとめた一覧表を、日誌装置５０において表示させる操作のことである。
【００６０】
作業者は、表示されている一覧表を確認し、一覧表に列記されている複数の図データ名称の中から、所望の図データを選択する。具体的には、作業者は、希望する図データを示す図データ名称（以下、図データ名称Ｄｄ１と称する）を、操作部２を操作して選択する（ステップＳ１７）。
【００６１】
ステップＳ１７の処理を受けて、日誌装置５０は、図データ名称Ｄｄ１が選択された旨を、信号線７０を介して、プロセスデータ管理装置６０側に通知する（ステップＳ１８）。そして、プロセスデータ管理装置６０側では、プロセスデータ記憶部６は、通知を受けた図データ名称Ｄｄ１である図データを、当該プロセスデータ記憶部６内から検索する（ステップＳ１８）。そして、当該検索した結果、プロセスデータ管理装置６０は、図データ名称Ｄｄ１である図データを、信号線７０を介して、日誌装置５０側に送信する（ステップＳ１８）。
【００６２】
当該ステップＳ１８の一連の動作により、日誌装置５０は、ステップＳ１７で選択された図データ名称Ｄｄ１である図データを、プロセスデータ管理装置６０から読み込むことができる。
【００６３】
その後、日誌装置５０は、ステップＳ１８によりプロセスデータ管理装置６０から読み出した図データを、表示部４を利用して表示する（ステップＳ１９）。
【００６４】
たとえば、ステップＳ１７により図６の一覧表から、「××トレンドグラフ」が選択された場合には、ステップＳ１９では、図７に例示するような、トレンドグラフの図データが表示される。当該表示されるトレンドグラス（図７）は、タグ情報（「ＰＩ−１００」）に関連付けられた図データであり、当該タグ情報（「ＰＩ−１００」）で識別される計測器から送信されるプロセスデータを利用して作成されている。
【００６５】
上記までの動作説明から分かるように、作業者が２回の選択操作（日誌文章内の所定の操作機能が設定されているタグ情報の選択、および一覧表における希望する図データ名称の選択）を実施ふることのみにより、日誌文章内のタグ情報に関連している、作業者が希望する特定の図データを、プロセスデータ管理装置６０側から日誌装置５０側に読み込むことができる。
【００６６】
次に、図８に示すフローチャートについて説明する。
【００６７】
さて、図５のステップＳ１９により表示された図データに対して、作業者が当該図データ内の何れかの箇所を指摘して、所望のコメントを入力したいこともある。当該場合には、図８のステップＳ３１の図データの表示からスタートし、作業者は、操作部２を操作し、表示されている図データに対してコメントを入力する処理を実行する（ステップＳ３２）。ここで、図９は、図７で例示したトレンドグラフに対して、コメントが入力された様子を例示する図である。
【００６８】
ここで、たとえば、図データに対するコメントの挿入は、プロセスデータ管理装置６０が予め有している「コメント入力機能」を、日誌装置５０側で（または、日誌装置５０側から）利用することにより実施される。
【００６９】
ステップＳ３２のコメント入力処理が完了したとき、運転日誌機能部１は、日誌文章を、当該コメントを示すコメントデータを含む図データに関連づけて管理する（ステップＳ３３）。
【００７０】
今の場合、図５のステップＳ１１で読み出された日誌シートに対して、一覧表を作成・表示し（ステップＳ１４〜Ｓ１６）、当該一覧表の中から所望の図データを表示し（ステップＳ１７〜Ｓ１９）、当該表示されている図データに対してコメントを入力している（ステップＳ３２）。
【００７１】
したがって、運転日誌機能部１は、図５のステップＳ１１で読み出された日誌シートに対して、ステップＳ３２で入力されたコメントデータを含むステップＳ３１（またはステップＳ１９）で表示されている図データを、関連付ける（ステップＳ３３）。具体的には、図１０に示すように、運転日誌機能部１は、日誌シートｓ１に対してアイコンａ１を設定する（ステップＳ３３）。当該日誌シートｓ１に設けられた当該アイコンａ１を選択すると、図９に示したコメント付きの図データが表示される（当該、動作の詳細は、図１１を用いて後述する）。
【００７２】
ステップＳ３３の後、運転日誌機能部１は、ステップＳ３３によりコメントを含む図データと関連付けられた日誌シート（日誌文章）を、記憶部３に管理・保存する（ステップＳ３４）。なお、プロセスデータ管理装置６０側では、図９に例示したコメントデータが含められた図データが、プロセス記憶部６において管理・保存される。
【００７３】
次に、図１１に示すフローチャートについて説明する。
【００７４】
作業者が、ステップＳ４１において操作部２を操作して、図１０に例示した日誌シートｓ１を選択したとする。すると、運転日誌機能部１は、記憶部３からステップＳ４１で選択された日誌シートｓ１を読み出し、表示部４を利用して当該読み出した日誌シートｓ１を表示する（ステップＳ４２）。
【００７５】
次に、作業者は、ステップＳ４２により表示されている日誌シートｓ１に設けられたアイコンａ１を、操作部２を操作することにより選択したとする（ステップＳ４３）。
【００７６】
すると、日誌装置５０は、信号線７０を介して、アイコンａ１により特定される図データを要求する命令を、プロセスデータ管理装置６０に対して送信する（ステップＳ４４）。そして、プロセスデータ管理装置６０側では、当該命令を受けて、プロセスデータ記憶部６は、アイコンａ１により特定される図データを（図９に例示した図データ参照）検索する（ステップＳ４４）。そして、プロセスデータ管理装置６０は、当該検索の結果得られた図データを、信号線７０を介して、日誌装置５０に対して送信する（ステップＳ４４）。
【００７７】
当該ステップＳ４４の一連の動作により、日誌装置５０は、ステップＳ４３で選択されたアイコンａ１により特定される図データを、プロセスデータ管理装置６０から読み込むことができる。
【００７８】
次に、運転日誌機能部１は、ステップＳ４４により読み込んだ図データを、表示部４を利用して、作業者が視認できるように表示する（ステップＳ４５）。今の場合、アイコンａ１は、コメント入りの所定の図データ（図９参照）を特定するものである。したがって、図９に例示したコメント入りの図データが、日誌装置５０側において表示される。
【００７９】
以上のように、本実施の形態に係るプラント管理システム１００では、日誌装置５０とプロセスデータ管理装置６０との間で連携した所定の動作を行っている。
【００８０】
したがって、たとえば、作業者は、運転日誌とプロセスデータとの閲覧等を迅速に行うことができる。つまり、煩わしい作業を要せずに、人的に入力された日誌文章と、プラントから自動収集したプロセスデータとを、関連付けすることができる。よって、作業効率の向上、トラブル発生時の迅速な対応、ノウハウの効率的な引継等が可能となる。
【００８１】
また、本実施の形態に係るプラント管理システム１００では、日誌装置５０は、日誌文章が入力されたとき、日誌文章中にタグ情報が含まれているか否かを検索している。そして、日誌装置５０は、日誌文章内にタグ情報が含まれているときには、日誌文章内におけるタグ情報に対して、所定の操作機能を設定している。
【００８２】
したがって、作業者は、意識することなく、日誌文章と当該日誌文章に含まれているタグ情報に関するプロセスデータ管理装置６０で管理しているプロセスデータ等を関連付けられることができる。
【００８３】
また、本実施の形態に係るプラント管理システム１００では、日誌装置５０は、当該所定の操作機能が設定されたタグ情報が選択されたとき、プロセスデータ管理装置６０に対して、当該選択されたタグ情報を用いて管理されている図データを検索している。そして、日誌装置５０は、当該検索の結果を利用して、図データ名称から成る一覧表を表示している。
【００８４】
したがって、交代勤務時の作業者等は、日誌文章に対するクリック作業（選択操作）のみで、当該日誌文章内に含まれるタグ情報に関連している図データを、プロセスデータ管理装置６０側から容易に検索できる。また、図データ名称から成る一覧表を表示させているので、検索結果を作業者は容易に確認できる。
【００８５】
また、本実施の形態に係るプラント管理システム１００では、日誌装置５０は、一覧表に含まれる所定の図データ名称を選択したとき、当該選択された図データ名称に対応する図データを、プロセスデータ管理装置６０から読み出し、当該読み出した図データを表示している。
【００８６】
したがって、交代勤務時の作業者等は、日誌文章読み出し後から、たとえば２クリック（日誌文章内のタグ情報に対するクリック、および一覧表内の図データ名称に対するクリック）のみで、当該読み出した日誌文章に関連する、所望の図データを表示できる。つまり、日誌装置５０に入力した日誌文章に含まれるタグ情報に関連する図データを、プロセスデータ管理装置６０側から迅速かつ容易に、表示させることができる。よって、作業者は、日誌に記載されている内容を、図データから直ぐに直視できる。これにより、作業者は、日誌に記載された情報に対して、図データからプラントがどのような運転状況であったかを、特別な労力を必要とせず、容易に判断できる。
【００８７】
また、本実施の形態に係るプラント管理システム１００では、日誌装置５０は、表示されている図データ内にコメントが入力されたとき、日誌文章を、当該コメントを示すコメントデータを含む図データに関連づけて、管理している。
【００８８】
したがって、日誌文書に関連する図データを参照しているときに、作業者が何か気付いたことがあった際（または、当該図データを検討している際）に、その場で、必要なコメントを入力できる。さらに、当該入力したコメント付きの図データを、容易に、日誌文章に関連付けることができ、図データと関連付けされた日誌を、特別な労力無しに、日誌装置５０において管理することができる。
【００８９】
また、本実施の形態に係るプラント管理システム１００では、日誌装置５０は、日誌シート内にアイコンを設定することにより、日誌文章を、コメントデータを含む図データに関連づけて管理している。そして、日誌装置５０は、当該アイコンが選択されたとき、コメントデータを含む図データを表示している。
【００９０】
したがって、作業者は、閲覧中の日誌文章から、容易かつ迅速に（つまり、アイコンを選択するだけで）、プロセスデータ管理装置６０から日誌装置５０に、コメント付きの図データを読み出すことができる。
【００９１】
＜実施の形態２＞
図１２は、本実施の形態に係るプラント管理システム２００の概略構成を示すブロック図である。
【００９２】
図１２に示すように、プラント管理システム２００は、日誌装置５０とプロセスデータ管理装置６０Ａとから構成されている。ここで、図１に示す構成と同様に、日誌装置５０とプロセスデータ管理装置６０Ａとは、信号線７０によって接続されている。なお、図１に示す日誌装置５０の構成と、図１２に示す日誌装置５０の構成とは同じである。
【００９３】
一方、プロセスデータ管理装置６０Ａは、図１に示したプロセスデータ管理装置６０の構成に加えて、操作部７と表示部８とを備えている。図１２に示すように、プロセスデータ管理装置６０Ａの各構成要素５〜８は各々、通信可能に接続されている。追加された構成要素７，８の機能は、後述の動作の説明において詳細に述べる。
【００９４】
なお、上記構成要素７，８が追加された以外、図１に示すプラント管理システム１００の構成と、図１２に示すプラント管理システム２００の構成とは同じである。
【００９５】
次に、本実施の形態に係るプラント管理システム２００の動作について、各フローチャートを用いて説明する。
【００９６】
まず、図１３に示すフローチャートについて説明する。
【００９７】
作業者は、プロセスデータ管理装置６０Ａ側において、操作部７を操作して、プロセスデータ記憶部６から所望の図データを読み出す。当該読み出された図データは、表示部８を利用して、作業者が視認できるように表示される（ステップＳ５１）。
【００９８】
さて、ステップＳ５１により表示された図データを眺めながら、作業者が日誌を作成することもある。当該場合には、作業者は、操作部７を操作して、日誌作成開始処理を実施する（ステップＳ５２）。
【００９９】
まず、プロセスデータ管理装置６０Ａは、日誌装置５０から日誌文章の入力が可能な新規の日誌シートを入手する。当該入手した日誌シートは、ステップＳ５１により表示されている図データと共に、表示部８により表示される。
【０１００】
作業者は、操作部７を操作し、表示されている図データに関する連絡事項、日誌シート内において、日誌文章として入力する（ステップＳ５３）。ここで、図１４は、表示部８により、図データｚ１と日誌文章が入力された日誌シートｓ２とが、同時に表示されている様子を示す図である。
【０１０１】
ここで、日誌文章の入力は、日誌装置５０の運転日誌機能部１を、プロセスデータ管理装置６０Ａ側において利用することにより実施される。
【０１０２】
ステップＳ５３の日誌文章入力処理が完了したとき、プロセスデータ管理装置６０Ａは、当該日誌文章が入力された日誌シートｓ２を、日誌装置５０側に送信する（ステップＳ５４）。
【０１０３】
ここで、当該日誌シートｓ２が、日誌文章入力の対象となったステップＳ５１で表示されている図データｚ１に関連して作成されたことを示すデータが、当該送信される日誌シートｓ２に設定されている。
【０１０４】
次に、日誌シートｓ２を受信した日誌装置５０側では、運転日誌機能部１は、日誌文章（日誌シートｓ２）を、図データｚ１に関連づけて管理する（ステップＳ５５）。
【０１０５】
具体的には、図１５に示すように、運転日誌機能部１は、日誌シートｓ２に対してアイコンａ２を設定する（ステップＳ５５）。当該日誌シートｓ２に設けられた当該アイコンａ２を選択すると、図１４に示した図データｚ１が表示される（当該、動作の詳細は、図１１を用いて後述する）。
【０１０６】
ステップＳ５５の後、運転日誌機能部１は、ステップＳ５５により図データｚ１と関連付けられた日誌シート（日誌文章）ｓ２を、記憶部３に管理・保存する（ステップＳ５６）。
【０１０７】
次に、本実施の形態においても、図１１に示すフローチャートについて説明する。
【０１０８】
作業者が、ステップＳ４１において操作部２を操作して、図１５に例示した日誌シートｓ２を選択したとする。すると、運転日誌機能部１は、記憶部３からステップＳ４１で選択された日誌シートｓ２を読み出し、表示部４を利用して当該読み出した日誌シートｓ２を表示する（ステップＳ４２）。
【０１０９】
次に、作業者は、ステップＳ４２により表示されている日誌シートｓ２に設けられたアイコンａ２を、操作部２を操作することにより選択したとする（ステップＳ４３）。
【０１１０】
すると、日誌装置５０は、信号線７０を介して、アイコンａ２により特定される図データｚ１を要求する命令を、プロセスデータ管理装置６０Ａに対して送信する（ステップＳ４４）。そして、プロセスデータ管理装置６０Ａ側では、当該命令を受けて、プロセスデータ記憶部６は、アイコンａ２により特定される図データｚ１を検索する（ステップＳ４４）。そして、プロセスデータ管理装置６０Ａは、当該検索の結果得られた図データを、信号線７０を介して、日誌装置５０に対して送信する（ステップＳ４４）。
【０１１１】
当該ステップＳ４４の一連の動作により、日誌装置５０は、ステップＳ４３で選択されたアイコンａ２により特定される図データｚ１を、プロセスデータ管理装置６０から読み込むことができる。
【０１１２】
次に、運転日誌機能部１は、ステップＳ４４により読み込んだ図データｚ１を、表示部４を利用して、作業者が視認できるように表示する（ステップＳ４５）。今の場合、アイコンａ２は、図データｚ１を特定するものであるので、図１４に例示した図データｚ１が、表示される。
【０１１３】
以上のように、本実施の形態に係るプラント管理システム２００では、プロセスデータ管理装置６０Ａは、表示されている図データに対して、所定の処理を実施することにより、日誌装置５０における運転日誌機能を利用して、日誌文書を入力することができる。
【０１１４】
したがって、プロセスデータ管理装置６０Ａ側において図データを参照している作業者は、何か気付いたことがあった際などに、その場で、交代勤務の作業者に対する申し送り事項として、日誌を作成することができる。
【０１１５】
また、本実施の形態に係るプラント管理システム２００では、日誌装置５０は、上記で作成された日誌文章を、当該日誌文章作成の元となった図データに関連づけて、管理することができる。
【０１１６】
したがって、作業者は、図データを、容易に、当該図データの考察等結果作成された日誌文章に関連付けることができ、図データと関連付けされた日誌を、特別な労力無しに、日誌装置５０において管理することができる。
【０１１７】
また、本実施の形態に係るプラント管理システム２００では、日誌装置５０は、日誌シート内にアイコンを設定することにより、日誌文章を、図データに関連づけて管理している。そして、日誌装置５０は、アイコンが選択されたとき、日誌文章作成の元になった図データを表示している。
【０１１８】
したがって、作業者は、閲覧中の日誌文章から、容易かつ迅速に（つまり、アイコンを選択するだけで）、プロセスデータ管理装置６０Ａから日誌装置５０に、日誌文章に関連する図データを読み出すことができる。
【符号の説明】
【０１１９】
１  運転日誌機能部
２  （日誌装置側）操作部
３  記憶部
４  （日誌装置側）表示部
５  タグ情報記憶部
６  プロセスデータ記憶部
７（プロセスデータ管理装置側）操作部
８（プロセスデータ管理装置側）表示部
５０  日誌装置
６０，６０Ａ  プロセスデータ管理装置
７０  信号線
１００  プラント管理システム
ａ１，ａ２  アイコン
ｓ１，ｓ２  日誌シート
ｚ１  図データ
【図１】
0005914183.tif 000002
【図２】
0005914183.tif 000003
【図３】
0005914183.tif 000004
【図４】
0005914183.tif 000005
【図５】
0005914183.tif 000006
【図６】
0005914183.tif 000007
【図７】
0005914183.tif 000008
【図８】
0005914183.tif 000009
【図９】
0005914183.tif 000010
【図１０】
0005914183.tif 000011
【図１１】
0005914183.tif 000012
【図１２】
0005914183.tif 000013
【図１３】
0005914183.tif 000014
【図１４】
0005914183.tif 000015
【図１５】
0005914183.tif 000016